【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
プロセッサと、ビデオディスプレイモニターと、該ビデオディスプレイモニターに結合された少なくとも１つの周辺装置との間における双方向通信方法であって、
データイネーブル信号が第１の状態にある時に、前記プロセッサから前記ビデオディスプレイモニターへと第１の方向に複数の信号線を介してデジタル画素データの第１の行を伝送し、
前記データイネーブル信号が第２の状態にある時に、前記少なくとも１つの周辺装置から前記プロセッサへと前記第１の方向とは逆方向である第２の方向に前記複数の信号線のうちの少なくとも１本を介して、前記デジタル画素データとは異なる他のデジタルデータを伝送し、及び、
前記データイネーブル信号が前記第１の状態に戻る時に、前記プロセッサから前記ビデオディスプレイモニターへと第１の方向に複数の信号線を介してデジタル画素データの第２の行を伝送する
ことを含み、
前記データイネーブル信号が前記第２の状態にある時には、前記複数の信号線のうちの１本は、前記少なくとも１つの周辺装置から前記プロセッサへの前記第２の方向における前記他のデジタルデータの伝送を制御するための制御線として使用され、及び、
前記データイネーブル信号が前記第２の状態にある時に、前記少なくとも１つの周辺装置から前記プロセッサへの前記第２の方向における前記他のデジタルデータの伝送を制御するために前記制御線を前記使用することは、前記第２の方向における前記他のデジタルデータの伝送期間を画定するために、前記制御線を用いてデジタルデータの開始信号と終了信号とを前記ビデオディスプレイモニターへと伝送して、前記ビデオディスプレイモニターに、前記他のデジタルデータの伝送を開始させることと停止させることとを命令することを更に含むことからなる、双方向通信方法。
【請求項２】
前記ビデオディスプレイモニターは、前記少なくとも１つの周辺装置に結合させるための内蔵ハブシステムを含み、及び、前記方法は、前記データイネーブル信号が前記第２の状態にある時に、前記内蔵ハブシステムが、前記少なくとも１つの周辺装置から前記他のデジタルデータを受け取って、及び、該受け取った他のデジタルデータを前記ビデオディスプレイモニターから前記プロセッサへと前記複数の信号線のうちの少なくとも１本を介して第２の方向において伝送することを更に含むことからなる、請求項１に記載の双方向通信方法。
【請求項３】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、及び、
前記第１の線及び前記第２の線は、前記データイネーブル信号が前記第２の状態にある時に、前記少なくとも１つの周辺装置から前記プロセッサへの前記第２の方向におけるデジタルデータの伝送のために使用されることからなる、請求項１に記載の双方向通信方法。
【請求項４】
前記データイネーブル信号が前記第２の状態にある時に、前記第３の線は、前記少なくとも１つの周辺装置から前記プロセッサへの前記第２の方向におけるデジタルデータの伝送を制御するために使用されることからなる、請求項３に記載の双方向通信方法。
【請求項５】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、及び、
前記第１、第２、及び第３の線は、前記データイネーブル信号が前記第２の状態にある時に、前記少なくとも１つの周辺装置から前記プロセッサへの前記第２の方向におけるデジタルデータの伝送のために使用されることからなる、請求項１に記載の双方向通信方法。
【請求項６】
前記第４の線は、前記データイネーブル信号が前記第２の状態にある時に、前記少なくとも１つの周辺装置から前記プロセッサへの前記第２の方向におけるデジタルデータの伝送を制御するために使用されることからなる、請求項３に記載の双方向通信方法。
【請求項７】
前記第４の線を介して伝送されるクロックパルスの数は、前記データイネーブル信号が前記第２の状態にある時に、前記少なくとも１つの周辺装置から前記プロセッサへの前記第２の方向におけるデジタルデータの伝送の制御に使用されることからなる、請求項３に記載の双方向通信方法。
【請求項８】
プロセッサとビデオディスプレイモニターとの間において双方向通信を行うためのシステムであって、
前記プロセッサから前記ビデオディスプレイモニターへと複数の信号線を介して第１の方向にデジタル画素データを伝送するための、前記プロセッサ内に設けられた送信ユニットであって、データイネーブル信号が第１の状態である時には常に、前記デジタル画素データは、前記プロセッサから前記ビデオディスプレイモニターへと伝送されることからなる、送信ユニットと、
前記ビデオディスプレイモニターに結合された周辺装置から前記複数の信号線のうちの少なくとも１本を介して、前記第１の方向とは逆方向の第２の方向に伝送された、前記デジタル画素データとは異なる他のデジタルデータを受信するための、前記プロセッサ内に設けられた受信ユニットであって、前記データイネーブル信号が第２の状態である時に、前記ビデオディスプレイモニターから前記プロセッサへと前記他のデジタルデータが伝送されることからなる、受信ユニット
とを備え、
前記第１の状態と前記第２の状態とが、伝送されるデジタル画素データの各行ごとにイネーブルにされ、及び、
前記データイネーブル信号が前記第２の状態にある時には、前記複数の信号線のうちの１本は、前記周辺装置から前記プロセッサへの前記第２の方向における前記他のデジタルデータの伝送を制御するための制御線として使用され、及び、
前記データイネーブル信号が前記第２の状態にある時に、前記周辺装置から前記プロセッサへの前記第２の方向における前記他のデジタルデータの伝送を制御するために前記制御線を前記使用することは、前記第２の方向における前記他のデジタルデータの伝送期間を画定するために、前記制御線を用いてデジタルデータの開始信号と終了信号とを前記ビデオディスプレイモニターへと伝送して、前記ビデオディスプレイモニターに、前記他のデジタルデータの伝送を開始させることと停止させることとを命令することを更に含むことからなる、システム。
【請求項９】
前記ビデオディスプレイモニター内におけるビデオディスプレイモニタープロセッサが、
（i）前記プロセッサから前記ビデオディスプレイモニターへと前記第１の方向に前記複数の信号線を介して伝送されたデジタル画素データを受け取るための、前記ビデオディスプレイモニタープロセッサ内に設けられた受信器と、
（ii）前記データイネーブル信号が第２の状態にある時に、前記複数の信号線のうちの少なくとも１つを介して第２の方向において前記周辺装置から受け取ったデジタルデータを伝送するための、前記ビデオディスプレイモニタープロセッサ内に設けられた送信器
とを含むことを更に含むことからなる、請求項８に記載のシステム。
【請求項１０】
前記プロセッサ内における前記送信ユニットと前記受信ユニットとの間に結合された第１の切り替えネットワークであって、前記ビデオディスプレイモニターへとデジタル画素データを送信する動作と、前記ビデオディスプレイモニターから前記プロセッサへの前記他のデジタルデータを受信する動作とを切り替えるための、第１の切り替えネットワークと、
前記ビデオディスプレイモニタープロセッサ内において前記送信器と前記受信器との間に結合された第２の切り替えネットワークであって、前記プロセッサからデジタル画素データを受信する動作と、前記ビデオディスプレイモニターから前記プロセッサへと前記他のデジタルデータを送信する動作とを切り替えるための、第２の切り替えネットワーク
とを更に備える、請求項９に記載のシステム。
【請求項１１】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、及び、
前記第１の線及び前記第２の線は、前記データイネーブル信号が前記第２の状態にある時に、前記ビデオディスプレイモニターから前記プロセッサへの前記第２の方向におけるデジタルデータの伝送のために使用されることからなる、請求項１０に記載のシステム。
【請求項１２】
前記第３の線が、前記第１及び第２の切り替えネットワークを制御するために使用されることからなる、請求項１１に記載のシステム。
【請求項１３】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、及び、
前記第１、第２、及び第３の線は、前記データイネーブル信号が前記第２の状態にある時に、前記少なくとも１つの周辺装置から前記プロセッサへの前記第２の方向におけるデジタルデータの伝送のために使用されることからなる、請求項１０に記載のシステム。
【請求項１４】
前記第４の線が、前記第１及び第２の切り替えネットワークを制御するために使用されることからなる、請求項１３に記載のシステム。
【請求項１５】
前記第４の線を介して伝送されるクロックパルスの数は、前記データイネーブル信号が前記第２の状態にある時に、前記少なくとも１つの周辺装置から前記プロセッサへの前記第２の方向におけるデジタルデータの伝送の制御に使用されることからなる、請求項１３に記載のシステム。
【請求項１６】
前記複数の信号線は、赤、緑、及び青のデジタル画素データを前記第１の方向に伝送するために使用される４つの差動ペアと、第１のクロック信号を前記第１の方向に伝送するための５番目の差動ペアとを含み、及び、
前記４つの差動ペアは、前記データイネーブル信号が前記第２の状態にある時に、前記少なくとも１つの周辺装置から前記プロセッサへの前記第２の方向におけるデジタルデータの伝送に使用されることからなる、請求項１０に記載のシステム。
【請求項１７】
前記第１のクロック信号が、前記第１及び第２の切り替えネットワークの制御に使用されることからなる、請求項１６に記載のシステム。
【請求項１８】
前記５番目の差動ペアを介して前記第１の方向に伝送されるクロックパルスの数は、前記データイネーブル信号が前記第２の状態にある時に、前記少なくとも１つの周辺装置から前記プロセッサへの前記第２の方向におけるデジタルデータの伝送の制御に使用されることからなる、請求項１７に記載のシステム。
【請求項１９】
前記複数の信号線は、赤、緑、及び青のデジタル画素データを前記第１の方向に伝送するために使用される４つの差動ペア含み、及び、
前記４つの差動ペアのうちの３つは、前記データイネーブル信号が前記第２の状態にある時に、前記ビデオディスプレイモニターから前記プロセッサへの前記第２の方向におけるデジタルデータの伝送のためにに使用されることからなる、請求項１０に記載のシステム。
【請求項２０】
前記４番目の差動ペアが、前記切り替えネットワークの制御に使用されることからなる、請求項１１に記載のシステム。
【請求項２１】
前記ビデオディスプレイモニターは、前記少なくとも１つの周辺装置に結合させるための内蔵ハブシステムを含み、
前記データイネーブル信号が前記第２の状態にある時に、前記内蔵ハブシステムは、前記少なくとも１つの周辺装置から前記他のデジタルデータを受け取って、及び、その受け取った他のデジタルデータを前記ビデオディスプレイモニターから前記プロセッサへと前記複数の信号線のうちの少なくとも１本を介して第２の方向において伝送することからなる、請求項８に記載のシステム。
【請求項２２】
コンピュータプロセッサと、ビデオディスプレイモニターと、該ビデオディスプレイモニターに結合された少なくとも１つのコンピュータ周辺装置との間における双方向通信方法であって、
データイネーブル信号が第１の状態にある時には、赤、緑、及び青のデジタル画素データを含むデジタル画素データの第１の行を、前記プロセッサから前記ビデオディスプレイモニターへと第１の方向に、少なくとも第１の特定の信号線と第２の特定の信号線とを含む複数の信号線を介して伝送し、
前記データイネーブル信号が第２の状態にある時には、
（i）前記データイネーブル信号が前記第２の状態にある時の期間うちの第１の部分期間中には、前記ビデオディスプレイモニターにおける次の行のデジタル画素データのためのデジタル画素データと、その対応する制御信号との同期をとり、但し、デジタル画素データを伝送せず、及び、
（ii）前記データイネーブル信号が第２の状態にある時に、前記データイネーブル信号が前記第２の状態にある時の期間うちの、前記第１の部分期間とは異なる第２の部分期間中には、前記少なくとも１つの周辺装置から前記プロセッサへと、前記第１の方向とは逆方向の第２の方向に、前記複数の信号線のうちの同じ前記第１の特定の信号線を介して、前記デジタル画素データとは異なる第２のデジタルデータと任意の前記対応する制御信号のみとを伝送し、及び、
前記データイネーブル信号が前記第１の状態へ戻る時に、前記プロセッサから前記ビデオディスプレイモニターへと前記複数の信号線のうちの同じ前記第１の特定の信号線を介して前記第１の方向にデジタル画素データの第２の行を伝送し、前記第２のデジタルデータを伝送しない
ことを含み、
前記複数の信号線は、（i）赤のデジタル画素データと前記プロセッサからの制御信号とを前記第１の方向に伝送するための第１の線と、（ii）緑のデジタル画素データと前記プロセッサからの制御信号とを前記第１の方向に伝送するための第２の線と、（iii）青のデジタル画素データと前記プロセッサからの制御信号とを前記第１の方向に伝送するための第３の線と、（iv）前記プロセッサからの第１のクロック信号を前記第１の方向に伝送するための第４の線とを含み、及び、
赤のデジタル画素データを前記第１の方向に伝送するための前記第１の線と緑のデジタル画素データを前記第１の方向に伝送するための前記第２の線とは、前記データイネーブル信号が前記第２の状態にある時に、前記少なくとも１つの周辺装置から前記プロセッサへの前記第２の方向におけるデジタルデータの伝送に同時に使用され、及び、
前記第１、第２、第３、及び第４の線のうちの１つは、前記データイネーブル信号が前記第２の状態にある時に、前記少なくとも１つの周辺装置から前記プロセッサへの前記第２の方向におけるデジタルデータの伝送を制御するための制御線として使用され、及び、前記データイネーブル信号が前記第２の状態にある時に、前記少なくとも１つの周辺装置から前記プロセッサへの前記第２の方向における前記デジタルデータの伝送を制御するための前記制御線の前記使用は、前記第２の方向における前記第２のデジタルデータの伝送期間を画定するために、前記制御線を使用して、デジタルデータの開始信号と終了信号とを前記ビデオディスプレイモニターへと伝送して、前記ビデオディスプレイモニターに、該デジタルデータの伝送を開始させることと停止させることとを命令することを含むことからなる、双方向通信方法。
【請求項２３】
プロセッサとビデオディスプレイモニターとの間において双方向通信を行うシステムであって、
前記プロセッサから前記ビデオディスプレイモニターへと第１の方向に、少なくとも第１の特定の信号線と第２の特定の信号線とを含む複数の信号線を介して、赤、緑、及び青のデジタル画素データを含むデジタル画素データを伝送するための、前記プロセッサ内に設けられた送信ユニットであって、データイネーブル信号が第１の状態にある時には常に、前記デジタル画素データが前記プロセッサから前記ビデオディスプレイモニターへと伝送されることからなる、送信ユニットと、
前記ビデオディスプレイモニターに結合された周辺装置から前記複数の信号線のうちの少なくとも１本を介して、前記第１の方向とは逆方向の第２の方向に伝送された、前記デジタル画素データとは異なる第２のデジタルデータを受信するための、前記プロセッサ内に設けられた受信ユニットであって、該複数の信号線のうちの少なくとも１本を介することが、前記第１の特定の信号線と前記第２の特定の信号線とのうちの少なくとも１本を介することを含み、前記データイネーブル信号が第２の状態にある時には常に、前記第２のデジタルデータが前記ビデオディスプレイモニターから前記プロセッサへと伝送され、伝送されるデジタルデータの各行ごとに、前記第１の状態及び前記第２の状態がイネーブルにされることからなる、受信ユニットと、
前記プロセッサから前記ビデオディスプレイモニターへと前記第１の方向に前記複数の信号線を介して伝送された前記デジタル画素データを受信するための、前記ビデオディスプレイモニター内に設けられた受信器であって、前記複数の信号線を介することが、前記第１の特定の信号線と前記第２の特定の信号線とを介することを含むことからなる、受信器と、
前記データイネーブル信号が第２の状態にある時に、前記ビデオディスプレイモニターに結合された前記周辺装置から受信した、前記デジタル画素データとは異なるデジタルデータを、前記第１の方向とは逆方向の前記第２の方向に、前記複数の信号線のうちの同じ前記第１の特定の信号線を介して伝送するための、前記ビデオディスプレイモニター内に設けられた送信器と、
前記プロセッサ内において前記送信ユニットと前記受信ユニットとの間に結合された第１の切り替えネットワークであって、前記ビデオディスプレイモニターへとデジタル画素データを送信する動作と、前記ビデオディスプレイモニターからの異なる第２のデジタルデータを受信する動作とを切り替えるための、第１の切り替えネットワークと、
前記ビデオディスプレイモニター内において前記送信器と前記受信器との間に結合された第２の切り替えネットワークであって、前記プロセッサからのデジタル画素データを受信する動作と、前記プロセッサへと異なる第２のデジタルデータを送信する動作とを切り替えるための、第２の切り替えネットワーク
とを備え、
前記複数の信号線は、前記第１及び第２の切り替えネットワークを制御するための制御線として使用される少なくとも１つの信号線を含み、前記第１及び第２の切り替えネットワークを制御するための前記制御線の前記使用は、前記第２の方向における前記第２のデジタルデータの伝送期間を画定するために、前記制御線を使用して、デジタルデータの開始信号と終了信号とを前記ビデオディスプレイモニターに伝送して、前記ビデオディスプレイモニターに、該デジタルデータの伝送を開始させることと停止させることとを命令することを含むことからなる、システム。